(57)【要約】【課題】  後部シートの乗員の手元または足元により確実に照明を当てることができる車室内照明構造の提供。【解決手段】  シート１２の背もたれ部１６の背面１６ｂ側に発光手段３９，４４を設けることで、このシート１２の後側の後部シートの乗員の手元または足元により近い位置から照明を当てる。【選択図】        図２
2006044452.tif 000002
【特許請求の範囲】
【請求項１】
車両内部に設けられる車室内照明構造であって、車両に用いられるシートの背もたれ部の背面側に発光手段が設けられていることを特徴とする車室内照明構造。
【請求項２】
前記背もたれ部のシートフレームが外側に露出される露出部を有し、該露出部に前記発光手段が設けられていることを特徴とする請求項１記載の車室内照明構造。
【請求項３】
前記露出部は前記シートフレームの上部まで設けられ、該上部の前記露出部に前記発光手段が設けられていることを特徴とする請求項２記載の車室内照明構造。
【請求項４】
前記露出部は前記背もたれ部のシートパッドとの間に開口部を形成しており、該開口部の位置の前記露出部に前記発光手段が設けられていることを特徴とする請求項２または３記載の車室内照明構造。
【請求項５】
前記発光手段の表面と前記露出部の表面とが連続していることを特徴とする請求項２乃至４のいずれか一項記載の車室内照明構造。
【請求項６】
前記発光手段の表面および前記露出部の表面が曲面状をなしていることを特徴とする請求項５記載の車室内照明構造。
【請求項７】
前記発光手段への接続ケーブルが前記シートフレームに内蔵されていることを特徴とする請求項２乃至６のいずれか一項記載の車室内照明構造。
【請求項８】
前記発光手段は前記背もたれ部の下部に設けられていることを特徴とする請求項１記載の車室内照明構造。
【発明の詳細な説明】
【技術分野】
【０００１】
本発明は、車両の車室内において光を照射する車室内照明構造に関する。
【背景技術】
【０００２】
車室内において、夜間に地図等を見たり、物品を探したりする際には、乗員の手元あるいは足元に光を照射する必要があるが、このような目的で設けられるルームライトは、一般的にルーフライニングに取り付けられている（例えば特許文献１参照）。
【特許文献１】特開平１１−３０１３６６号公報
【発明の開示】
【発明が解決しようとする課題】
【０００３】
しかしながら、上記のようにルーフライニングにライトが取り付けられる構造であると、後部シートの乗員の手元あるいは足元を照射するにはライトから距離が長くなり、十分に照明を当てることができるとは言えなかった。
【０００４】
したがって、本発明は、後部シートの乗員の手元または足元により確実に照明を当てることができる車室内照明構造の提供を目的とする。
【課題を解決するための手段】
【０００５】
上記目的を達成するために、請求項１に係る発明は、車両内部に設けられる車室内照明構造であって、車両に用いられるシート（例えば実施形態における前部シート１２）の背もたれ部（例えば実施形態におけるシートバック１６）の背面（例えば実施形態における背面１６ｂ）側に発光手段（例えば実施形態におけるライト３９，４４）が設けられていることを特徴としている。
【０００６】
請求項２に係る発明は、請求項１に係る発明において、前記背もたれ部のシートフレーム（例えば実施形態におけるシートフレーム３２）が外側に露出される露出部（例えば実施形態における下向き露出部３７ａ）を有し、該露出部に前記発光手段が設けられていることを特徴としている。
【０００７】
請求項３に係る発明は、請求項２に係る発明において、前記露出部は前記シートフレームの上部まで設けられ、該上部の前記露出部に前記発光手段が設けられていることを特徴としている。
【０００８】
請求項４に係る発明は、請求項２または３に係る発明において、前記露出部は前記背もたれ部のシートパッド（例えば実施形態におけるシートパッド２９）との間に開口部（例えば実施形態における開口部３６）を形成しており、該開口部の位置の前記露出部に前記発光手段が設けられていることを特徴としている。
【０００９】
請求項５に係る発明は、請求項２乃至４のいずれか一項に係る発明において、前記発光手段の表面と前記露出部の表面とが連続していることを特徴としている。
【００１０】
請求項６に係る発明は、請求項５に係る発明において、前記発光手段の表面および前記露出部の表面が曲面状をなしていることを特徴としている。
【００１１】
請求項７に係る発明は、請求項２乃至６のいずれか一項に係る発明において、前記発光手段への接続ケーブル（例えば実施形態における接続ケーブル４１）が前記シートフレームに内蔵されていることを特徴としている。
【００１２】
請求項８に係る発明は、請求項１に係る発明において、前記発光手段は前記背もたれ部の下部に設けられていることを特徴としている。
【発明の効果】
【００１３】
請求項１に係る発明によれば、車両に用いられるシートの背もたれ部の背面側に発光手段が設けられているため、このシートの後側の後部シートの乗員の手元または足元により近い位置から照明を当てることができる。したがって、後部シートの乗員の手元または足元に確実に照明を当てることができる。
【００１４】
請求項２に係る発明によれば、背もたれ部のシートフレームの外側に露出される露出部に発光手段が設けられているため、露出部に発光手段を内蔵でき、発光手段の取付スペースを確保することができる。
【００１５】
請求項３に係る発明によれば、シートフレームの上部の露出部に発光手段が設けられているため、後部シートの乗員の特に手元照明に最適な位置に発光手段を設けることができる。
【００１６】
請求項４に係る発明によれば、シートフレームの露出部とシートパッドとの間に形成される開口部の位置の露出部に発光手段が設けられているため、発光手段の発光面積をより大きく確保することができ、照明効果を高めることができる。
【００１７】
請求項５に係る発明によれば、発光手段の表面と露出部の表面とが連続しているため、発光手段とシートフレームとの一体感を出すことができ、見栄えを向上させることができる。
【００１８】
請求項６に係る発明によれば、発光手段の表面が曲面状をなしているため、発光手段の照射角度を大きくすることができ、照射範囲を拡大することができる。
【００１９】
請求項７に係る発明によれば、発光手段への接続ケーブルがシートフレームに内蔵されるため、特別な目隠し構造を設けることなく、接続ケーブルの露出を回避することができる。
【００２０】
請求項８に係る発明によれば、発光手段が背もたれ部の下部に設けられているため、後部シートの乗員の特に足元照明に最適な位置に発光手段を設けることができる。したがって、後部シートの乗員が乗降し易くなる。
【発明を実施するための最良の形態】
【００２１】
本発明の一実施形態の車室内照明構造を図面を参照して以下に説明する。なお、以下の説明における前後は車両における前後である。
【００２２】
図１は、本実施形態の車室内照明構造が適用された車両の車室１１内を示す側面図であって、車室１１内には、前後に二列の前部シート１２（シート）および後部シート１３が設けられている。
【００２３】
前部シート１２は、乗員の主として臀部を支承するシートクッション１５と、乗員の主として背部を支承するシートバック（背もたれ部）１６と、シートバック１６の上部に設けられて乗員の後頭部を支承するヘッドレスト１７とを有している。
【００２４】
後部シート１３も、同様に、乗員の主として臀部を支承するシートクッション２０と、乗員の主として背部を支承するシートバック２１と、シートバック２１の上部に設けられて乗員の後頭部を支承するヘッドレスト２２とを有している。
【００２５】
前席シート１２について、着席可能にシートバック１６が立てられた状態をもってさらに説明すると、図２に示すように、前席シート１２のシートバック１６は、車幅方向両側に立設される支柱部２５と、これら支柱部２５の上端同士を連結させるように連続的に設けられる略円弧状のアーチ部２６とを有する外枠部２７と、この外枠部２７の前側に配設されるシートパッド２９と、外枠部２７の後側の下部内側に配設されるシートバックカバー３０とを有している。ここで、シートパッド２９は、図１に示すようにシートバック１６からシートクッション１５まで一体的に形成されている。
【００２６】
外枠部２７は、金属製のシートフレーム３２の後側をクッション性を有するカバー部材３３で覆って構成されており、シートフレーム３２の両支柱部２５を構成する部分の前側はシートパッド２９の車幅方向の両側部で覆われている。また、図２に示すようにシートパッド２９は車幅方向に延在することで外枠部２７の両支柱部２５の間にも配設されており、その中央の後方に突出する凸部３４が両支柱部２５の間に入り込んでいる。なお、図３にも示すように外枠部２７のアーチ部２６よりも下側の範囲でシートパッド２９が設けられており、よって、アーチ部２６とシートパッド２９との間には、前後方向に貫通する開口部３６が形成されている。
【００２７】
ここで、シートフレーム３２はカバー部材３３、シートパッド２９およびシートバックカバー３０等で覆われていない部分が外側に露出される露出部３７となっている。そして、この露出部３７のうち、アーチ部２６を構成ししかも開口部３６の位置にある下向きの下向き露出部（露出部）３７ａにライト（発光手段）３９が一体的に埋め込まれている。
【００２８】
下向き露出部３７ａは、後方から見た場合に上側凸の略円弧状の曲面をなしており、しかもその後側のカバー部材３３のアーチ部２６を構成する部分よりも下方に突出している。この下方に突出する曲面状の下向き露出部３７ａの車幅方向中央にライト３９がその表面を下向き露出部３７ａの表面と連続させるように一体的に埋め込まれている。このライト３９も後方から見た場合に下向き露出部３７ａの形状に合わせて上側凸の略円弧状の曲面をなしている。
【００２９】
ここで、互いに連続する下向き露出部３７ａの表面およびライト３９の表面は、後方から見た場合に、下縁部が上側凸の略円弧状をなしており、また、車幅方向に沿って見た場合には後側ほど上側に位置するように傾斜する形状をなしている。そして、下縁部近傍から後部にかけての傾斜部分がライト３９で構成されており、その結果、ライト３９は主として下方から後方に向けて光を照射する。よって、このライト３９を発光させれば、後部シート１３に着席した乗員の手元位置に適正に照明を当てることができる。
【００３０】
以上から、ライト３９は、前部シート１２のシートバック１６の背面１６ｂ側に設けられ、しかも、シートバック１６のシートフレーム３２の上部であってシートパッド２９との間の開口部３６の位置にある下向き露出部３７ａに設けられている。また、ライト３９の表面は後方から見た場合に外側凸で湾曲する曲面状をなしている。ここで、ライト３９に給電するための接続ケーブル４１はシートフレーム３２に内蔵されている。
【００３１】
上記したヘッドレスト１７は、開口部３６の前方上部を覆う下方延出部１７ａを有しており、下方延出部１７ａがライト３９の光をその前方への漏れを防ぎつつ後方に向け反射させるようになっている。よって、ライト３９は一層多くの光を後部シート１３の乗員の手元に向け照射できる。
【００３２】
また、前席シート１２のシートバック１６の下部のシートバックカバー３０の下端部近傍にも、シートバックカバー３０の下端部から後部つまり背面１６ｂ側にかけてライト４４が、その表面をシートバックカバー３０の表面と連続させるように一体的に埋め込まれている。このライト４４も主として下方から後方に向けて光を照射することになるため、このライト４４を発光させれば、後部シート１３に着席した乗員の足元位置に適正に照明を当てることができる。
【００３３】
以上に述べた本実施形態によれば、前部シート１２のシートバック１６の背面１６ｂ側の上部および下部にライト３９，４４が設けられているため、この前部シート１２の後側の後部シート１３の乗員の手元および足元により近い位置から照明を当てることができる。したがって、後部シート１３の乗員の手元および足元に確実に照明を当てることができる。
【００３４】
また、シートバック１６のシートフレーム３２の外側に露出される下向き露出部３７ａにライト３９が設けられているため、下向き露出部３７ａにライト３９を内蔵でき、ライト３９の取付スペースを確保することができる。
【００３５】
加えて、シートフレーム３２の上部の下向き露出部３７ａにライト３９が設けられているため、後部シート１３の乗員の特に手元照明に最適な位置にライト３９を設けることができる。
【００３６】
さらに、シートフレーム３２の下向き露出部３７ａとシートパッド２９との間に形成される開口部３６の位置の下向き露出部３７ａにライト３９が設けられているため、発光面積をより大きく確保することができ、照明効果を高めることができる。
【００３７】
加えて、ライト３９の表面と下向き露出部３７ａの表面とが連続しているため、ライト３９とシートフレーム３２との一体感を出すことができ、見栄えを向上させることができる。
【００３８】
また、ライト３９の表面が後方から見て曲面状をなしているため、ライト３９の照射角度を大きくすることができ、照射範囲を拡大することができる。
【００３９】
さらに、ライト３９への接続ケーブル４１がシートフレーム３２に内蔵されるため、特別な目隠し構造を設けることなく、接続ケーブル４１の露出を回避することができる。
【００４０】
加えて、ライト４４がシートバック１６の下部に設けられているため、後部シート１３の乗員の特に足元照明に最適な位置にライト４４を設けることができる。したがって、後部シート１３の乗員が乗降し易くなる。
【図面の簡単な説明】
【００４１】
【図１】本発明の一実施形態の車室内照明構造が適用された車両の車室内を示す側面図である。
【図２】本発明の一実施形態の車室内照明構造における前部シートを示す背面図である。
【図３】本発明の一実施形態の車室内照明構造における前部シートの上部を示す部分拡大斜視図である。
【符号の説明】
【００４２】
１２  前部シート（シート）
１６  シートバック（背もたれ部）
１６ｂ  背面
２９  シートパッド
３２  シートフレーム
３６  開口部
３７ａ  下向き露出部（露出部）
３９，４４  ライト（発光手段）
４１  接続ケーブル
【図１】
2006044452.tif 000003
【図２】
2006044452.tif 000004
【図３】
2006044452.tif 000005